(57)【特許請求の範囲】
【請求項１】
物理チャンネルに多重化した複数の仮想チャンネルを形成し、この仮想チャンネル毎に番組を放送するＡＴＳＣ（Advanced Television System Committee）デジタル放送のうちから、番組を放送する所望のチャンネルを選局するために操作される選局操作手段と、
前記選局操作手段を介して前記チャンネルが選局されたとき、受信される前記ＡＴＳＣデジタル放送信号から選局された前記チャンネルの番組放送信号を抽出し、抽出される前記番組放送信号から番組に関連した情報を示す番組情報を獲得するための情報獲得動作を実施する番組情報獲得手段と、
複数チャンネルのそれぞれに対応して該チャンネルを識別するチャンネルデータと前記番組情報獲得手段により獲得される１つ以上の番組の前記番組情報とをテーブル形式で画面に表示するためのチャンネル対応表示手段とを備えて、
前記選局操作手段は、前記所望チャンネルを選局するために、前記画面上に予め準備されたカーソルを、前記チャンネル対応表示手段により表示された前記テーブルにおいて前記複数チャンネルのうちの前記所望チャンネルに対応の内容を指し示すように移動操作し、
前記番組情報獲得手段は、前記情報獲得動作を実施中に、前記選局操作手段により前回選局された前記チャンネルとは別の前記チャンネルが選局されるごとに、実施中の前記情報獲得動作をキャンセルして、選局された前記別チャンネルについて前記情報獲得動作を実施し、
前記チャンネル対応表示手段は、前記情報獲得動作を実施中に獲得される前記番組情報を前記画面に逐次表示し、
前記選局操作手段は、前記テーブルにおいて、前記番組情報獲得手段により獲得済みの前記番組情報が表示される部分では前記カーソルを番組単位で移動操作可能とし、前記番組情報が未獲得の部分では前記カーソルを所定時間単位で移動操作可能とする、受信装置。
【請求項２】
物理チャンネルに多重化した複数の仮想チャンネルを形成し、この仮想チャンネル毎に番組を放送するＡＴＳＣ（Advanced Television System Committee）デジタル放送のうちから、番組を放送する所望のチャンネルを選局するために操作される選局操作手段と、
前記選局操作手段を介して前記チャンネルが選局されたとき、受信される前記ＡＴＳＣデジタル放送信号から選局された前記チャンネルの番組放送信号を抽出し、抽出される前記番組放送信号から番組に関連した情報を示す番組情報を獲得するための情報獲得動作を実施する番組情報獲得手段と、
前記番組情報獲得手段により獲得される前記番組情報を画面にて表示する表示手段とを備え、
前記番組情報獲得手段は、前記情報獲得動作を実施中に、前記選局操作手段により前回選局された前記チャンネルとは別の前記チャンネルが選局されるごとに、実施中の前記情報獲得動作をキャンセルして、選局された前記別チャンネルについて前記情報獲得動作を実施する、受信装置。
【請求項３】
前記表示手段は、複数チャンネルのそれぞれに対応して該チャンネルを識別するチャンネルデータと前記番組情報獲得手段により獲得される１つ以上の番組の前記番組情報とをテーブル形式で前記画面に表示するためのチャンネル対応表示手段を有し、
前記選局操作手段は、前記所望チャンネルを選局するために、前記画面上に予め準備されたカーソルを、前記チャンネル対応表示手段により表示された前記テーブルにおいて前記複数チャンネルのうちの前記所望チャンネルに対応の内容を指し示すように移動操作するカーソル操作手段を有する、請求項２に記載の受信装置。
【請求項４】
前記表示手段は、前記情報獲得動作を実施中に獲得される前記番組情報を前記画面に逐次表示する、請求項２または３に記載の受信装置。
【請求項５】
前記カーソル操作手段は、前記テーブルにおいて、前記番組情報獲得手段により獲得済みの前記番組情報が表示される部分では、前記カーソルを番組単位で移動操作可能とし、前記番組情報が未獲得の部分では前記カーソルを所定時間単位で移動操作可能とする、請求項３または４に記載の受信装置。
【発明の詳細な説明】
【０００１】
【発明の属する技術分野】
この発明は受信装置に関し、特に放送される番組に関する情報を受信して出力する受信装置に関する。
【０００２】
【背景となる技術】
アナログ放送では、１つの物理チャンネルで１つの番組が放送されている。ここでいう、物理チャンネルとは番組の放送に使用されている搬送波の周波数帯域のことである。
【０００３】
デジタル放送では１つの物理チャンネルで一般に複数の番組を放送している。このため物理的なチャンネルを示す物理チャンネルと、これに多重化された複数の仮想チャンネルの２種類が存在する。デジタル放送では、物理チャンネルで放送される番組数（仮想チャンネル数）を大変多くできるので、複数仮想チャンネルについての迅速な選局方法が種々提案されてきた。
【０００４】
たとえば、特開２００１−０４５３９１公報では、リモコンを用いた選局のためのユーザ操作において、ジャンル別に階層された大分類ジャンルでは選局速度を高速に、逆に細分化されたジャンルでは選局速度を遅くするように順次選局する。このようにすることでユーザは簡単操作で迅速に所望チャンネルを選択できる。
【０００５】
また、特開２００１−１７７７７８公報では受信装置においてＴＳ（トランスポートストリーム）全局番組配列情報（全局ＳＩ）のテーブルが生成される。ここで、チャンネルのアップまたはダウンの信号が受信されると、生成された全局ＳＩテーブルを参照して現在、表示中のチャンネルからチャンネルの並びの順に従って次のチャンネルを選択し表示する装置が開示されている。
【０００６】
また、本出願人により提案された特願２００１−１４４８９公報においては、チャンネルアップ／ダウンの操作によりチャンネルの切換が指示されたタイミングで、指示されたチャンネルの選局を開始するので、ユーザによるチャンネルの選択操作完了後に選択されたチャンネルで放送される内容を迅速に出力することのできる装置が示される。
【０００７】
【発明が解決しようとする課題】
デジタル放送では、ＥＰＧ（electrical program guide）などの放送される番組に関する番組情報が送信される。デジタル放送受信装置では、番組情報を受信し、さまざまなサービスを提供する。ユーザが一度に参照することのできるデータ量は限られているので、例えば、ユーザはＥＰＧに従う画面で表示されるＥＰＧに対応のチャンネルのうちから所望のチャンネルを選択する。
【０００８】
ここで、ＥＰＧ情報の獲得とは、ＥＰＧの情報が搬送されているデジタルかアナログのチャンネルを選局し、ＥＰＧに対応のデジタルデータを獲得することをいう。
【０００９】
上述した、背景となるいずれの技術においても、チャンネルの選局動作の改善が示されているにすぎず、選局したチャンネルに対応するＥＰＧ情報を獲得し、番組情報として表示する技術については何ら示されていなかった。
【００１０】
獲得されたＥＰＧ情報を出力する場合には、ＥＰＧ情報はＯＳＤ（On Screen Display）により番組情報として画面表示される。図９には、ＡＴＳＣ（Advanced Television Systems Committee）放送の受信装置におけるＥＰＧの従来の画面表示例が示される。
【００１１】
図９では、ユーザによりチャンネル切換のために操作される図中左側のキーと関連付けて図中右側のＥＰＧ情報による表示画面例が示されている。図９ではチャンネル切換されてチャンネル“１０−２”が選択された場合に、チャンネル“１０−２”について獲得されたＥＰＧ情報による画面１０が示されている。
【００１２】
ＡＴＳＣ放送では、放送信号に含まれているＶＣＴ（Virtual Channel Table）、ＥＩＴ（Event Information Table）およびＥＴＴ（Extended Text Table）と呼ばれるデジタルデータがチャンネルと番組情報を示して、これらを放送信号から獲得することによりＥＰＧ情報を獲得することができる。
【００１３】
ＶＣＴは対応のチャンネルの名称を示し、ＥＩＴは対応のチャンネルについて放送される番組の名称および放送時間を示し、ＥＴＴは対応のチャンネルにおいて放送される番組内容の説明を示す。
【００１４】
図９の画面１０の表示状態で、図中の左側のチャンネルについてユーザがＵＰ／ＤＯＷＮ操作して所望する別のチャンネル“１２−１”の受信に切換操作したとする。この場合には、直前のチャンネル”１０−２”のＥＰＧによる画面１０においてすべての情報が揃っているので、該チャネル切換は受付けられて、切換えられた別チャンネル“１２−１”についてＥＰＧ情報獲得が開始される。このＥＰＧ情報獲得処理中に、さらに別のチャンネルに切換操作されたとする。このときは、チャンネル“１２−１”について未だＥＰＧ情報は獲得されてないので画面１０内のデータは揃わない。したがって、該チャネル切換操作は無効とされて受付は拒否される。
【００１５】
図１０には、チャンネル切換操作に並行したＥＰＧ情報の獲得状態が模式的に示される。図１０に示されるように、従来は、ユーザが次のチャンネルに切換操作をしても画面内のＥＰＧ情報に基づくデータの更新が完了するまでは（情報が揃うまでは）、切換された別のチャンネルについてのＥＰＧ情報の獲得動作はなされなかった。その結果、ユーザは所望するチャンネルについての番組情報を速やかに得ることができなかった。
【００１６】
また、複数のチャンネルの番組情報を数時間分まとめて表示するモードがある。図１１に複数チャンネルの番組情報を数時間分まとめて表示する場合の画面例が示される。ここでは、３つのチャンネルについて２時間分の番組情報を表示した場合の画面が示される。図１１では斜線で示されている部分に、画面上の情報を指示するために操作されるカーソルが位置することを示している。このような画面構成のときは、同一画面に一定時間内の複数のチャンネルについての番組情報が表示される。画面外のチャンネルや画面外の時間帯の番組情報は、カーソルを移動操作し画面をスクロールさせることにより表示する。
【００１７】
このとき、スクロールして次の画面の表示を所望しても、現在の画面内のすべての番組情報に対応のＥＰＧ情報が獲得されず表示されないうちは、画面スクロール操作は受付けられないので、次の画面に移動することはできなかった。具体的には、図１１の左端の画面では、チャンネル“２”の８：００の番組“ＭＵＳＩＣ”がカーソルで示されている。このような画面が表示されているときに、カーソル操作のための図示されない右キーが操作されてカーソルが右方向に移動するよう指示されたとしても、該画面においてはチャンネル“４”と“６”についての番組情報は未だ揃っていないので、このキー操作は受付けられない。その後、図１１の中央の画面のように、すべての情報が揃って表示された時点で、カーソル移動のためのキー操作は受付けられる。たとえば、図示されない上キーが操作されてカーソルをチャンネル“１”に移動させるように指示されたときは、該キー操作は受付けられて、図１１の右端の画面が表示される。
【００１８】
このように、ＥＰＧ情報が獲得完了して、その画面において対応の番組情報が揃って表示完了するまで、所望の番組情報を参照するためのキー操作は受付けされなかったので、ユーザは所望するチャンネルについての番組情報を速やかに得ることができなかった。
【００１９】
それゆえにこの発明の目的は、所望されている番組情報を迅速に獲得することのできる受信装置を提供することである。
【００２０】
【課題を解決するための手段】
この発明のある局面に従えば、受信装置は、所望のチャンネルを選局するために操作される選局操作手段と、
選局操作手段を介してチャンネルが選局されたとき、受信される番組放送信号から選局されたチャンネルの番組放送信号を抽出し、抽出される番組放送信号から番組に関連した情報を示す番組情報を獲得するための情報獲得動作を実施する番組情報獲得手段と、
番組情報獲得手段により獲得される番組情報を画面にて表示する表示手段とを備え、
番組情報獲得手段は、情報獲得動作を実施中に、選局操作手段により前回選局されたチャンネルとは別のチャンネルが選局されるごとに、実施中の情報獲得動作をキャンセルして、選局された別チャンネルについて情報獲得動作を実施する。
【００２１】
上述の受信装置によれば、選局された所望チャンネルの番組情報獲得動作中でも、別の所望チャンネルに選局が切換えられると、実施中の情報獲得動作はキャンセルされて、別の所望チャンネルについての情報獲得動作が実施される。
【００２２】
上述の受信装置では、望ましくは、表示手段は、複数チャンネルのそれぞれに対応して該チャンネルを識別するチャンネルデータと番組情報獲得手段により獲得される１つ以上の番組の番組情報とをテーブル形式で画面に表示するためのチャンネル対応表示手段を有し、
選局操作手段は、所望チャンネルを選局するために、画面上に予め準備されたカーソルを、チャンネル対応表示手段により表示されたテーブルにおいて複数チャンネルのうちの所望チャンネルに対応の内容を指し示すように移動操作するカーソル操作手段を有する。
【００２３】
上述の受信装置によれば、複数チャンネルのそれぞれに対応して番組情報獲得手段により獲得される１つ以上の番組の番組情報が画面に表示されるので、複数チャンネルについての番組情報の一覧表示が可能となる。
【００２４】
また、カーソルの移動操作により指し示された内容に対応のチャンネルが選局されるので、一覧表示内容を確認しながら所望のチャンネルについての番組情報の検索（情報獲得と表示）が可能となる。
【００２５】
上述の受信装置では、望ましくは、表示手段は、情報獲得動作を実施中に獲得される番組情報を画面に逐次表示する。
【００２６】
上述の受信装置に従えば、所望チャンネルへのカーソル移動操作中に通過したチャンネルについて獲得された番組情報も、逐次画面表示することができる。
【００２７】
上述の受信装置では、望ましくは、カーソル操作手段は、テーブルにおいて、番組情報獲得手段により獲得済みの番組情報が表示される部分では、カーソルを番組単位で移動操作可能とし、番組情報が未獲得の部分ではカーソルを所定時間単位で移動操作可能とする。
【００２８】
上述の受信装置に従えば、テーブルにおいて獲得済みの番組情報の部分は迅速にカーソル移動させて確認できるし、未獲得の番組情報の部分においてはカーソル移動を、ユーザがゆっくり操作する場合には、情報は可能な限り獲得できる。
【００２９】
【発明の実施の形態】
以下、この発明の各実施の形態について図面を参照して詳細に説明する。
【００３０】
（実施の形態１）
図１は、この発明の各実施の形態に適用される受信装置１の構成を周辺部とともに示す図である。図１において受信装置１はアンテナ２から受信した放送信号のうち、所望されるチャンネルに対応の信号についてＥＰＧ情報獲得を含む処理をして、テレビジョン受像機などの表示部３に画面表示するとともに獲得されたＥＰＧ情報による画面を表示する。
【００３１】
受信装置１は、アンテナ２を介して受信した放送信号から、ユーザが所望したチャンネルに対応の信号を選択的に抽出するチューナ１１、ＣＰＵ（Central Processing Unit）１７およびメモリ１８を含む制御部１２、チューナ１１により抽出された所望チャンネルに対応の信号について、受信装置１にて処理可能な信号に変換する受信処理部１３、図示されないフロントパネルに設けられて、ユーザにより操作されるボタンなどの操作部１４、リモコン（リモートコントローラの略）４から赤外線信号を受信するリモコン受信部１５、およびＯＳＤを含む表示処理部１６を備える。
【００３２】
ユーザが操作部１４を操作して、またはリモコン４を操作しリモコン受信部１５を介して、所望チャンネルを選択的に指定すると、指定されたチャンネルの情報は制御部１２に与えられる。制御部１２のＣＰＵ１７は、与えられた所望チャンネルの情報に基づいてチューナ１１を、受信した放送信号から該所望チャンネルに対応の信号を抽出するように制御する。
【００３３】
受信装置１は、ＡＴＳＣ信号とＮＴＳＣ（National Television System Committee standard）信号とを受信可能である。ＡＴＳＣ信号には、前述したようにＶＣＴ、ＥＩＴ、ＥＴＴと呼ばれる番組情報が含まれているので受信したＡＴＳＣ信号からこれらを獲得することにより、ＥＰＧ情報の獲得がなされる。
【００３４】
ＮＴＳＣ信号には、ＶＢＩ（Vertical Blanking Interval）において番組に関するデジタル情報が含まれているので、このデジタル情報を獲得することにより、ＮＴＳＣ信号に係る番組についてＥＰＧ情報の獲得がなされる。受信処理部１３はチューナ１１を介して抽出された所望チャンネルに対応のＡＴＳＣ信号またはＮＴＳＣ信号のそれぞれを入力して処理する機能を有する。受信処理部１３は、ＡＴＳＣ信号およびＮＴＳＣ信号のそれぞれからＥＰＧ情報を獲得するための処理を行ない、獲得したＥＰＧ情報を制御部１２に与える。
【００３５】
制御部１２のＣＰＵ１７は与えられたＥＰＧ情報に基づいて、番組情報のイメージデータを作成して、表示処理部１６に与える。表示処理部１６のＯＳＤは、与えられたイメージデータによる文字や図形を表示部３の画面に重ね合せて表示するように処理する。
【００３６】
本実施の形態の受信装置１では、ユーザによる別チャンネルについてのＥＰＧ情報の獲得要求が、操作部１４の操作またはリモコン４を用いたリモコン受信部１５を介した出力により検出されると、現在のＥＰＧ情報獲得処理の完了の有無に（画面表示のための番組情報が揃ったか否かに）関係なく、別チャンネルのＥＰＧ情報獲得の動作が開始される。
【００３７】
図２は、本実施の形態１に係るチャネル切換操作に従うＥＰＧ情報獲得のための処理フローチャートである。図３には、本実施の形態１によるチャンネル切換に伴うＥＰＧ情報要求動作が時間経過に従い模式的に示される。図４は本実施の形態１に係るＥＰＧ情報に基づく番組情報表示画面例を示す図である。
【００３８】
図２のフローチャートに従い受信装置１の動作を説明する。受信装置１は、ＥＰＧ情報による画面表示モードにあり、表示部３には、図４左側のチャンネル“１０−２”の番組情報のための画面が表示されていると想定する。このとき、ユーザが別のチャンネル“１４−１”の番組情報の表示を所望して、操作部１４またはリモコン４を介して、別チャンネル“１４−１”に切換え操作すると、アンテナ２から受信した放送信号から、チューナ１１によりチャンネル“１４−１”に対応の信号を抽出する動作（以下、ＴＵＮＥ動作という）が開始される（Ｓ（以下、単にＳと略す）１）。このとき表示部３には図４の右側の画面が表示される。ＣＰＵ１７はＴＵＮＥ動作中にもチャンネルの切換操作がされるか否か、すなわちユーザにより別チャンネルへの切換操作がなされるか否かを検出する（Ｓ２）。チャンネル切換操作がされたと検出されたとき（Ｓ２でＹＥＳ）、ＣＰＵ１７はチューナ１１に対して現在のＴＵＮＥ動作をキャンセルさせて（Ｓ５）、チューナ１１を、切換えられた別チャンネルに対応の信号を抽出するためのＴＵＮＥ動作を開始させるよう制御する（ステップＳ１）。その後は、Ｓ２以降の処理が同様に繰返される。
【００３９】
チューナ１１によるＴＵＮＥ動作中に別チャネルへの切換が検出されず（Ｓ２でＮＯ）、ＴＵＮＥ動作が完了し、ＥＰＧ情報の獲得が完了すると（Ｓ３でＹＥＳ）、獲得されたＥＰＧ情報に基づいて、表示処理部１６のＯＳＤを介して、表示部３において所望されたチャンネルの番組情報が表示される（Ｓ４）。
【００４０】
このように、チューナ１１によるＴＵＮＥ動作開始から、ＴＵＮＥ動作が完了してＥＰＧ情報の獲得が完了するまでの間で、別チャネルへの切換有無の検出がなされて、切換えが検出されると、ＥＰＧ情報獲得完了の有無に関係なく切換え操作は受付けられて、現在のＴＵＮＥ動作はキャンセルされて、別チャンネルのＴＵＮＥ動作が開始される。
【００４１】
このような、チャンネル切換え操作に従うＥＰＧ情報獲得のための状態を図３を参照して説明する。図３では図中矢印方向の時間経過に伴い、操作部１４またはリモコン４を介してチャンネル番号を上昇させ別チャンネルに切換えるためのＣＨ  ＵＰ操作が行なわれる。図示されるように別チャンネルへの切換え操作ごとに、それまでなされていたＴＵＮＥ動作はキャンセルされて、別チャンネルについてのＴＵＮＥ動作が開始される。その後、ＴＵＮＥ動作を完了してＥＰＧ情報獲得が完了すると、獲得完了したＥＰＧ情報についての番組情報の画面がＯＳＤを介して表示部３に表示される。
【００４２】
本実施の形態１では、ＥＰＧ情報獲得が完了しなくても、現在のＴＵＮＥ動作をキャンセルして、切換えられた別チャンネルのＥＰＧ情報獲得のためのＴＵＮＥ動作に移行するので、ユーザが所望するチャンネルのＥＰＧ情報を迅速に獲得できる。その結果、表示部３の番組情報表示画面に、ユーザが切換えた所望チャンネルに対応の番組情報を速やかに表示することができる。
【００４３】
（実施の形態２）
ＥＰＧ情報は、６時間分を１パッケージにして最大２週間分のデータを含むことができる。本実施の形態２では、このようなＥＰＧ情報に基づいて数時間分の番組情報をまとめて画面表示する場合について説明する。
【００４４】
図５は本実施の形態２に係るＥＰＧ情報獲得のための処理フローチャートである。図６には本実施の形態２に係る複数チャンネルの複数個の番組についての番組情報をまとめて表示する画面構成例が示される。図６では、操作部１４またはリモコン４を操作してカーソルを移動させることにより、チャンネルおよび番組を選択できる。図６では、矢印Ａで示されるようにチャンネル“１０−２”の番組名“BUGER Queen”がカーソルで選択された状態が表示されている。選択された該番組名に対応の番組説明が矢印Ｂのようにして同一画面で表示される。
【００４５】
図６の画面では、複数チャンネルのそれぞれに対応して、該チャンネルを識別するデータと１つ以上の番組の番組情報とがテーブル形式で表示される。図６では、たとえば、４個のチャンネルのそれぞれについて、チャンネルを識別する番号“５−１”、“１０−１”、“１０−２”および“１４−１”のそれぞれと、２時間分に相当する１つ以上の番組についての番組情報が表示される。矢印Ａに位置するカーソルを画面の上下方向に移動させることにより、別チャンネルに切換え操作できる。このような画面構成のときは、一定時間内の複数チャンネルのＥＰＧ情報を獲得して番組情報として画面表示する。画面外のチャンネルや時間帯の情報は、矢印Ａに位置するカーソルを移動させて画面をスクロールさせることにより表示させることができる。
【００４６】
本実施の形態２では、画面内に表示される番組情報に対応のＥＰＧ情報がすべて獲得できていない状態でも、次画面へスクロールさせるようなカーソル移動は受付けられる。これにより、矢印Ｂのような番組説明を知りたい番組が、数日後の番組であっても、カーソルを画面の右方向に移動させるように操作できる。つまり、その間の番組情報のすべての表示が完了するまで待たずとも、所望番組までカーソルを移動させることができる。また、このとき、カーソル移動中のＴＵＮＥ動作により獲得したＥＰＧ情報に基づいた番組情報も表示することができる。
【００４７】
このときのＥＰＧ情報獲得要求がカーソル移動によるチャンネル切換に従い行なわれる状態を、時間経過を追って示したものが図７に示される。
【００４８】
図５のフローチャートに従い、図７を参照しながらＥＰＧ獲得処理を説明する。図７では、カーソル移動により所望チャンネルへチャンネル切換がなされると、制御部１２のＣＰＵ１７は、チューナ１１を、切換えられた所望チャンネルについてのＴＵＮＥ動作を開始させるように制御する（Ｓ１１）。ＴＵＮＥ動作の開始から完了まで、すなわちＥＰＧ情報獲得が完了するまでの間に、カーソル移動によるチャンネルの切換が検出されなければ（Ｓ１２でＮＯ、Ｓ１３でＹＥＳ）、ＣＰＵ１７は、獲得されたＥＰＧ情報に基づいてＯＳＤを介して表示部３に、複数時間にわたる番組情報を画面表示する（Ｓ１４）。
【００４９】
一方、ＴＵＮＥ動作開始から完了するまでの間にカーソル移動により別のチャンネルへの切換が検出されると（Ｓ１２でＹＥＳ）、現在実施中のＴＵＮＥ動作はキャンセルされる（Ｓ１５）。そして、切換えられた別のチャンネルについて、チューナ１１によりＴＵＮＥ動作が開始される（Ｓ１１）。
【００５０】
このように、図７では、ＥＰＧ情報獲得のために、チューナ１１によるＴＵＮＥ動作中でも別チャンネルへの切換要求があれば、これが受入れられて、これまでのＴＵＮＥ動作（ＥＰＧ情報獲得処理）はキャンセルされて別チャンネルについてのＥＰＧ情報獲得のためのＴＵＮＥ動作がなされるから、ユーザが所望するチャンネルのＥＰＧ情報を速やかに獲得できて、その番組情報をユーザに迅速に提示できる。
【００５１】
カーソル移動とＥＰＧ情報獲得の切換とを、図８（Ａ）〜（Ｅ）の表示部３における番組情報の表示画面例を参照して具体的に説明する。図８（Ａ）〜（Ｅ）では３チャンネル分について２時間分の番組情報を表示できる画面が示される。カーソルは斜線で示される部分に位置していることを示す。図８（Ａ）〜（Ｅ）ではブランクの部分は対応のＥＰＧ情報が獲得完了していないことを示す。
【００５２】
今、図８（Ａ）の画面が表示されていたとする。図８（Ａ）は、チャンネル“２”、“４”および“６”について７：００と８：００の２時間分の番組情報を表示するための画面である。カーソルはチャンネル“２”の８：００の時間帯に位置している。したがって、チャンネル“２”についてのＥＰＧ情報獲得処理（ＴＵＮＥ動作）がなされている。
【００５３】
チャンネル“２”についてのＥＰＧ情報獲得処理中に、チャンネル“１”の１０：００の番組情報を知るために、ユーザがカーソル操作したと想定する。まず、ユーザはカーソルを右方向に移動させるために操作部１４またはリモコン４に設けられた右キーを操作するので、制御部１２のＣＰＵ１７は右キー操作を受付けて、ＯＳＤを介してカーソルを、チャンネル“２”の別の時間帯である９：００に位置させる。このときの画面は図８（Ｂ）のようになる。さらに、ユーザが右キーを操作すると、チャンネル“２”の１０：００についての位置にカーソルが移動して表示される。このときの画面が図８（Ｃ）に示される。
【００５４】
このように図８（Ａ）→図８（Ｂ）→図８（Ｃ）とカーソルが移動する際に、チャンネル“２”についてのＴＵＮＥ動作によるＥＰＧ情報獲得が並行して行なわれているから、ＥＰＧ情報獲得処理が完了した場合には、図８（Ｃ）で示されるように、獲得されたＥＰＧ情報に基づく番組情報が表示される。ここではチャンネル“２”の９：００の番組は“ドラマ”である旨が示されている。
【００５５】
次に、ユーザはカーソルを上方向に移動させるための上キーを操作すると、カーソルは所望されているチャンネル“１”の１０：００に位置する。このとき図８（Ｄ）の画面が表示される。このときＣＰＵ１７は別チャンネルへの切換を検出するので、チューナ１１を、現在のＴＵＮＥ動作をキャンセルさせて、切換えられたチャンネル“１”についてＴＵＮＥ動作を開始するよう制御する。これによりチャンネル“１”についてのＥＰＧ情報獲得が開始される。その後、ＥＰＧ情報が獲得されると、画面は図８（Ｅ）のようになる。図８（Ｅ）の画面を確認したユーザは、目的の番組は“アニメ”であることを知る。
【００５６】
本実施の形態に係るＥＰＧ情報に従う番組情報の画面では、カーソルの時間軸のグリッド移動は、対応のＥＰＧ情報が獲得されている部分では番組（番組情報）単位でカーソル移動させ、対応のＥＰＧ情報が獲得されていない部分の時間軸はたとえば３０分区切りでカーソル移動させるようにしてもよい。このようにすることで、獲得済みのＥＰＧ情報の番組情報は迅速にカーソル移動させて確認できるし、未獲得のＥＰＧ情報においてはカーソル移動は緩やかとなるから、獲得するための所要時間を確保できる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５８】
【発明の効果】
この発明によれば、ユーザは所望しないチャンネルの番組情報の獲得を待たずとも、選局操作するだけで、本来、所望するチャンネルの番組情報の獲得動作に速やかに移行させることができるから、所望する番組情報を迅速に獲得して表示手段を介して確認できる。
【図面の簡単な説明】
【図１】  この発明の各実施の形態に適用される受信装置１の構成を周辺部とともに示す図である。
【図２】  本実施の形態１に係るチャネル切換操作に従うＥＰＧ情報獲得のための処理フローチャートである。
【図３】  本実施の形態１によるチャンネル切換に伴うＥＰＧ情報要求動作を時間経過に従い模式的に示す図である。
【図４】  本実施の形態１に係るＥＰＧ情報に基づく番組情報表示画面例を示す図である。
【図５】  本実施の形態２に係るＥＰＧ情報獲得のための処理フローチャートである。
【図６】  本実施の形態２に係る複数チャンネルの番組情報を数時間分まとめて表示する画面構成例を示す図である。
【図７】  本実施の形態２に係るＥＰＧ情報獲得要求がチャンネル切換に従い行なわれる状態を時間経過を追って示す図である。
【図８】  （Ａ）〜（Ｅ）は、本実施の形態２に係る表示部３における番組情報の表示画面例を示す図である。
【図９】  従来のチャンネル切換のために操作されるキーと関連付けてＥＰＧ情報による画面表示例を示す図である。
【図１０】  従来のチャンネル切換操作に並行したＥＰＧ情報の獲得状態を模式的に示す図である。
【図１１】  従来の複数チャンネルの番組情報を数時間分まとめて表示する場合の画面例を示す図である。
【符号の説明】
１  受信装置、２  アンテナ、３  表示部、４  リモコン、１４  操作部、１６  表示処理部。
【図１】
0003982275.tif 000002
【図２】
0003982275.tif 000003
【図３】
0003982275.tif 000004
【図４】
0003982275.tif 000005
【図５】
0003982275.tif 000006
【図６】
0003982275.tif 000007
【図７】
0003982275.tif 000008
【図８】
0003982275.tif 000009
【図９】
0003982275.tif 000010
【図１０】
0003982275.tif 000011
【図１１】
0003982275.tif 000012